(57)【要約】      （修正有）【課題】フェイスシールド本体を一般のマスクに直接連結させることにより、使用上の利便性及び安全性を向上させる飛沫感染防止フェイスシールドを提供する。【解決手段】フェイスシールド本体１に透光部１１が形成されるとともに、複数のフェイスシールド連結部品１２が設けられる。使用者は、フェイスシールド本体をフェイスシールド連結部品によりマスクに連結することで、マスクを着用すると同時にフェイスシールド本体により眼部を覆い保護することができ、安全性が大幅に向上する。【選択図】図１
0003227242.tif 000002
【実用新案登録請求の範囲】
【請求項１】
フェイスシールド本体と、少なくとも１つの透光部と、複数のフェイスシールド連結部品と、からなる飛沫感染防止フェイスシールドであって、
前記フェイスシールド本体は、人体の眼部を覆い、
前記透光部は、前記フェイスシールド本体に形成され、
前記複数のフェイスシールド連結部品は、前記フェイスシールド本体に設けられることで、前記フェイスシールド本体は、前記複数のフェイスシールド連結部品によりマスクに連結され、そのうち、各前記フェイスシールド連結部品は、前記フェイスシールド本体に連結される湾曲部と、前記湾曲部の側部に設けられるとともに前記湾曲部により前記フェイスシールド本体に連結される折り曲げ抑止部と、前記折り曲げ抑止部に形成される第１差込部と、前記フェイスシールド本体に形成されることで前記第１差込部を相互に係合させる第２差込部を備えることを特徴とする飛沫感染防止フェイスシールド。
【請求項２】
前記第１差込部は、前記第２差込部に係合させるための係合凹溝を備えることを特徴とする、請求項１に記載の飛沫感染防止フェイスシールド。
【請求項３】
前記フェイスシールド本体は、鼻隙間部を備えることを特徴とする、請求項１に記載の飛沫感染防止フェイスシールド。
【請求項４】
フェイスシールド本体と、少なくとも１つの透光部と、複数のフェイスシールド連結部品と、からなる飛沫感染防止フェイスシールドであって、
前記フェイスシールド本体は、人体における眼部を覆い、
前記透光部は、前記フェイスシールド本体に形成され、
前記複数のフェイスシールド連結部品は、前記フェイスシールド本体に設けられることで、前記フェイスシールド本体は、前記複数のフェイスシールド連結部品によりマスクに連結され、そのうち、各前記フェイスシールド連結部品は、前記フェイスシールド本体に連結される弾性押圧部と、前記フェイスシールド本体に形成されるとともに、前記弾性押圧部の側部に位置する対応押圧部を備えることを特徴とする飛沫感染防止フェイスシールド。
【請求項５】
前記フェイスシールド本体は、鼻隙間部を備えることを特徴とする、請求項４に記載の飛沫感染防止フェイスシールド。
【考案の詳細な説明】
【技術分野】
【０００１】
本考案は、飛沫感染防止フェイスシールドの技術分野に関し、特に、使用上比較的便利であるとともに、より安全性の高い飛沫感染防止フェイスシールドに関する。
【背景技術】
【０００２】
マスクの種類は多岐に渡るが、一般に、防塵保温用マスクと医療用マスクに大きく分類され、通常、防塵保温用マスクは、医療上の感染防止の効果を備えていない。しかしながら、どの種類のマスクであっても、口と鼻の部分を覆うのみで、人体における目を保護することはできないにもかかわらず、ウイルス及び細菌の多くは、口と鼻からのみ感染するわけではなく、眼部から感染する場合もある。従って、マスクをつけただけで人混みの多い場所またはウイルスが比較的多い医療機関を訪れる場合、感染防止效果が不十分な状態が生じる可能性があるが、マスクとは別に感染防止效果のあるゴーグルを装着するのは、使用上非常に面倒である。
【考案の概要】
【考案が解決しようとする課題】
【０００３】
本考案は、フェイスシールド本体を一般のマスクに直接連結させることにより、使用上の利便性及び安全性を向上させる飛沫感染防止フェイスシールドを提供することを目的とする。
【課題を解決するための手段】
【０００４】
上述の目的を達成するため、本考案の主な構造は、フェイスシールド本体と、フェイスシールド本体に形成される少なくとも１つの透光部と、フェイスシールド本体に設けられる複数のフェイスシールド連結部品と、からなる。
【考案の効果】
【０００５】
上述の構造により、使用者は、フェイスシールド連結部品によりフェイスシールド本体を各種マスクに直接連結することができるとともに、マスクを着用する際、フェイスシールド本体により使用者の眼部を覆うことができ、使用者は、透光部から外部の状況を見ることができるとともに、フェイスシールド本体によって視角が妨げられることはない。これにより、マスクを着用する場合に、口と鼻の部分だけではなく、人体における眼部も保護されることで、使用上の安全性を大幅に向上させることができる。さらに、フェイスシールド本体は、フェイスシールド連結部品により各種マスクに連結することができるため、繰り返し使用することができ、使用上の利便性が大幅に向上するとともに、使用コストを低減できるという長所も備える。
【０００６】
上述の技術により、従来のマスクにおける感染防止效果が十分ではないという問題が改善され、上述の長所における実用的な進歩性が達成される。
【図面の簡単な説明】
【０００７】
【図１】本考案の好ましい実施例１における斜視図である。
【図２】本考案の好ましい実施例１における係合を示した図（一）である。
【図３】本考案の好ましい実施例１における係合を示した図（二）である。
【図４】本考案の好ましい実施例１における着用を示した図である。
【図５】本考案の好ましい実施例２における斜視図である。
【図６】本考案の好ましい実施例２における係合を示した図である。
【図７】本考案の好ましい実施例２における着用を示した図である。
【図８】本考案の好ましい実施例３における斜視図である。
【図９】本考案の好ましい実施例３における係合を示した図である。
【図１０】本考案の好ましい実施例４における係合を示した図である。
【図１１】本考案の好ましい実施例５における斜視図である。
【図１２】本考案の好ましい実施例５における固定を示した図である。
【考案を実施するための形態】
【０００８】
参照する図１は、本考案の好ましい実施例１における斜視図であり、図から明らかな通り、本考案は、フェイスシールド本体１と、少なくとも１つの透光部１１と、複数のフェイスシールド連結部品１２と、からなる。
【０００９】
少なくとも１つの透光部１１は、フェイスシールド本体１に形成され、本実施例のフェイスシールド本体１は、透明のプラスチックフィルムを例とし、透光部１１は、プラスチックフィルムにおける透視できる部分である。
【００１０】
複数のフェイスシールド連結部品１２は、フェイスシールド本体１に設けられ、各フェイスシールド連結部品１２は、フェイスシールド本体１に連結される湾曲部１２１と、湾曲部１２１の側部に設けられるとともに、湾曲部１２１によりフェイスシールド本体１に連結される折り曲げ抑止部１２２と、折り曲げ抑止部１２２に形成される第１差込部１２３と、フェイスシールド本体１に形成され、第１差込部１２３を相互に係合させる第２差込部１２４を備える。本実施例において、折り曲げ抑止部１２２は、フェイスシールド本体１から延在して形成され、第１差込部１２３は、折り曲げ抑止部１２２から延在して突出した弧形の片体であり、第２差込部１２４は、フェイスシールド本体１に形成され、第１差込部１２３を通すための切れ込みである。
【００１１】
同時に併せて参照する図１から図４は、本考案の好ましい実施例１における斜視図から着用を示した図である。使用者は、フェイスシールド本体１をフェイスシールド連結部品１２により任意でマスク２に連結することができ、マスク２の種類は制限されず、使用者は、自分で各種ニーズに合ったマスク２（医療用マスクまたは防塵用マスク）を購入することができる。一般のマスク２の構造は、いずれも、口と鼻を覆うことのできるマスク本体２１の左右両側に弾性のひも体２２が備えられていることで、ひも体２２を人体における耳の部分に掛けて使用することができる。本実施例の連結方法は、フェイスシールド本体１をマスク本体２１の上側部にまず設置した後、折り曲げ抑止部１２２をひも体２２の前側部に設置するとともに、湾曲部１２１の位置に沿って後ろ側に折り曲げた後（これは制限されることはなく、折り曲げ抑止部１２２をひも体２２の後方に設置してから前方に折り曲げることもできる）、さらに、第１差込部１２３を第２差込部１２４の中に通すことで、相互に係合させることによる固定效果が達成され、折り曲げ抑止部１２２をフェイスシールド本体１の本体と係合させることで相互に反発しあい、フェイスシールド本体１は、フェイスシールド連結部品１２によりひも体２２に連結される。使用者がひも体２２を耳部に掛けるとともに、マスク本体２１によって口と鼻を覆う際、フェイスシールド本体１は、人体における眼部を覆うが、使用者は、透光部１１から外部の状況を見ることができるとともに、視線が遮られることはない。このように、フェイスシールド本体１により唾液または汚物が眼部に触れるのを防ぐことができることで、使用上の安全性が大幅に向上されるとともに、マスク２が交換式マスク２である場合、フェイスシールド本体１を取り外して繰り返し使用することができるため、使用上の利便性が向上するとともに、コスト削減の效果が達成される。
【００１２】
さらに同時に併せて参照する図５から図７は、本考案の好ましい実施例２における斜視図から着用を示した図である。本実施例において、フェイスシールド本体１ａは、鼻隙間部１３ａを備え、本実施例の鼻隙間部１３ａは、フェイスシールド本体１ａに形成される半円形のノッチであり、人体における眼部がフェイスシールド本体１ａによって覆われる際、鼻隙間部１３ａにより鼻梁の位置があけられることで、フェイスシールド本体１ａが鼻梁の部分に当たって、使用者が不快に感じるまたはすれて怪我をしてしまうということがない。
【００１３】
さらに、本実施例の第１差込部１２３ａは、係合凹溝１２５ａを備え、この係合凹溝１２５ａにより第１差込部１２３ａが第２差込部１２４ａに係合される際、係合凹溝１２５ａによって第２差込部１２４ａにしっかりと結合されることにより、係合の固定效果が向上することで、使用上さらに安定するとともに、外れにくい。フェイスシールド本体１ａは、文字部１４ａを備えることで、使用者は、リサイクルラベル及び製造年月日といった必要とされる文字を刻むことができる。
【００１４】
さらに同時に併せて参照する図８及び図９は、本考案の好ましい実施例３における斜視図及び係合を示した図である。本実施例において、フェイスシールド連結部品１２ｂは、フェイスシールド本体１ｂに連結される弾性押圧部１２６ｂと、弾性押圧部１２６ｂの側部に位置する対応押圧部１２７ｂを備え、本実施例のフェイスシールド本体１ｂ自体は、プラスチック製であるため、フェイスシールド本体１ｂ上に直接切り込みを入れてできる半弧形の片体を弾性押圧部１２６ｂとするとともに、フェイスシールド本体１ｂにおける弾性押圧部１２６ｂに隣接する側部には、対応押圧部１２７ｂが形成される。従って、使用者がフェイスシールド本体１ｂをマスク２ｂに連結する場合、まず、弾性押圧部１２６ｂを引っ張り出した後、弾性押圧部１２６ｂ及び対応押圧部１２７ｂをマスク２ｂの両側にそれぞれ設置するとともに、弾性押圧部１２６ｂを放すことで、弾性押圧部１２６ｂ自体の弾性により、弾性押圧部１２６ｂは対応押圧部１２７ｂにフィットしマスク２ｂに係合されることで、フェイスシールド本体１ｂは、フェイスシールド連結部品１２ｂによりマスク２ｂに連結されるとともに、フェイスシールド連結部品１２ｂの構造及び連結方法は制限されないことが示される。
【００１５】
さらに同時に併せて参照する図１０は、本考案の好ましい実施例４における係合を示した図である。本実施例において、フェイスシールド連結部品１２ｃは、クリップであり、使用者が使用したい際に、フェイスシールド本体１ｃをマスク２ｃの上側部にまず設置するとともに、左右両側をフェイスシールド連結部品１２ｃで挟むことで、フェイスシールド本体１ｃは、マスク２ｃに固定される。従って、フェイスシールド本体１ｃの構造及び連結方法は制限されないことが示される。
【００１６】
さらに同時に併せて参照する図１１及び図１２は、本考案の好ましい実施例５における斜視図及び固定を示した図である。本実施例と好ましい実施例１は類似しているが、第１差込部１２３ｄが折り曲げ抑止部１２２ｄに設けられる留め具に変更されており、第２差込部１２４ｄは、フェイスシールド本体１ｄに設けられる留め具であるとともに、第１差込部１２３ｄと第２差込部１２４ｄを相互にしっかりと結合させることで、マスク２ｄに取り付けることができる。従って、フェイスシールド連結部品１２ｄの構造及び連結方法は制限されないことが示される。
【符号の説明】
【００１７】
１、１ａ、１ｂ、１ｃ、１ｄ  フェイスシールド本体    
１１  透光部    
１２、１２ｂ、１２ｃ、１２ｄ  フェイスシールド連結部品    
１２１  湾曲部    
１２２、１２２ｄ  折り曲げ抑止部    
１２３、１２３ａ、１２３ｄ  第１差込部    
１２４、１２４ａ、１２４ｄ  第２差込部    
１２５ａ  係合凹溝    
１２６ｂ  弾性押圧部    
１２７ｂ  対応押圧部    
１３ａ  鼻隙間部    
１４ａ  文字部    
２、２ｂ、２ｃ、２ｄ  マスク    
２１  マスク本体    
２２  ひも体
【図１】
0003227242.tif 000003
【図２】
0003227242.tif 000004
【図３】
0003227242.tif 000005
【図４】
0003227242.tif 000006
【図５】
0003227242.tif 000007
【図６】
0003227242.tif 000008
【図７】
0003227242.tif 000009
【図８】
0003227242.tif 000010
【図９】
0003227242.tif 000011
【図１０】
0003227242.tif 000012
【図１１】
0003227242.tif 000013
【図１２】
0003227242.tif 000014